(57)【要約】      （修正有）【課題】多方向から負荷線を取り付けることが可能な端子台であって、手指が端子部分に触れにくく負荷線も傷つけにくい端子カバーを備える端子台を提供する【解決手段】第一の方向に延在して少なくとも一つの配線と接続可能な第一方向接続部、及び、第一方向接続部と電気的に導通され且つ第一の方向と異なる第二の方向に延在して少なくとも一つの配線と接続可能な第二方向接続部を有する導電板１１０，１２０と、導電板１１０，１２０の幅方向の外側に配置される側壁３０を有する端子台本体部７０と、第一方向接続部及び第二方向接続部の一方の表面を覆う端子カバーと、端子台本体部７０に形成され、端子カバーが第一方向接続部を覆う位置に端子カバーを保持する第一係合部４０と、端子台本体部７０に形成され、端子カバーが第二方向接続部を覆う位置に端子カバーを保持する第二係合部５０と、を有する。【選択図】図１
2018037269.tif 000002
【特許請求の範囲】
【請求項１】
第一の方向に延在して少なくとも一つの配線と接続可能な第一方向接続部、及び、前記第一方向接続部と電気的に導通され且つ前記第一の方向と異なる第二の方向に延在して少なくとも一つの配線と接続可能な第二方向接続部を有する導電板と、
前記導電板の幅方向の外側に配置される側壁を有する端子台本体部と、
前記第一方向接続部及び前記第二方向接続部の一方の表面を覆う端子カバーと、
前記端子台本体部に形成され、前記端子カバーが前記第一方向接続部を覆う位置に該端子カバーを保持する第一係合部と、
前記端子台本体部に形成され、前記端子カバーが前記第二方向接続部を覆う位置に該端子カバーを保持する第二係合部と、
を有することを特徴とする端子台。
【請求項２】
前記端子カバーは、
前記第一方向接続部又は前記第二方向接続部の表面に接近又は接触する近接面と、
前記近接面から連続して設けられ、且つ、前記第一方向接続部又は前記第二方向接続部から離反する離反面と、を有することを特徴とする、
請求項１に記載の端子台。
【請求項３】
複数の前記導電板が前記幅方向に並設されると共に、複数の前記導電板の間に前記側壁が介在することで該側壁がセパレータとなり、
前記端子カバーは、一対の前記離反面によって凹部が形成され、該凹部が前記セパレータの一部を回避するように形成されることを特徴とする、
請求項２に記載の端子台。
【請求項４】
複数の前記導電板が前記幅方向に並設されると共に、複数の前記導電板の間に前記側壁が介在することで該側壁がセパレータとなり、
前記端子カバーは、前記セパレータを回避するように湾曲する湾曲部を有することを特徴とする、
請求項１から請求項３のいずれか一項に記載の端子台。
【請求項５】
前記湾曲部は、指と係合させることが可能な突起部を有することを特徴とする、
請求項４に記載の端子台。
【請求項６】
前記湾曲部は、弾性変形可能な撓み部を有することを特徴とする、
請求項４または請求項５に記載の端子台。
【請求項７】
前記湾曲部と前記セパレータとの間に隙間が形成され、
前記隙間は、前記第一方向接続部又は前記第二方向接続部に向かうに従って大きくなることを特徴とする、
請求項４から請求項６のいずれか一項に記載の端子台。
【請求項８】
前記端子カバーは、
前記第一方向接続部及び前記第二方向接続部のうち配線が接続される一方の接続部を覆う接続側端子カバーと、
前記第一方向接続部及び前記第二方向接続部のうち配線が接続されない他方の接続部を覆う非接続側端子カバーと、を有し、
前記接続側端子カバーと前記一方の接続部の距離が、前記非接続側端子カバーと前記他方の接続部との距離より大きいことを特徴とする、
請求項１から請求項７のうちのいずれか一項に記載の端子台。
【請求項９】
前記端子カバーは、
前記第一方向接続部及び前記第二方向接続部のうち配線が接続される一方の接続部を覆う接続側端子カバーと、
前記第一方向接続部及び前記第二方向接続部のうち配線が接続されない他方の接続部を覆う非接続側端子カバーと、を有し、
前記非接続側端子カバーは、前記一方の接続部の配線載置面を仮想的に延長した面と干渉しない寸法に設定されることを特徴とする、
請求項１から請求項７のうちのいずれか一項に記載の端子台。
【請求項１０】
前記接続側端子カバーは、前記他方の接続部の配線載置面を仮想的に延長した面と干渉する寸法に設定されることを特徴とする、
請求項９に記載の端子台。
【請求項１１】
前記第一係合部が、
前記非接続側端子カバーを係合する第一側非接続用係合部と、
前記接続側端子カバーを係合する第一側接続用係合部と、
を備え、
前記第二係合部が、
前記非接続側端子カバーを係合する第二側非接続用係合部と、
前記接続側端子カバーを係合する第二側接続用係合部と、
を備え、
前記第一側非接続用係合部と第二側非接続用係合部の形状が略同一であり、
且つ、
前記第一側接続用係合部と前記第二側接続用係合部の形状が略同一である
ことを特徴とする請求項１から請求項１０のうちのいずれか一項に記載の端子台。
【請求項１２】
前記第一側非接続用係合部及び前記第二側非接続用係合部に共通する形状と、前記第一側接続用係合部及び前記第二側接続用係合部に共通する形状が、互いに異なることを特徴とする請求項１１に記載の端子台。
【請求項１３】
前記第一の方向と前記第二の方向は略垂直であることを特徴とする請求項１から請求項１２のうちのいずれか一項に記載の端子台。
【発明の詳細な説明】
【技術分野】
【０００１】
本発明は、電子機器の入出力接続用に用いられる端子台に関する。
【背景技術】
【０００２】
従来、電源装置等の電子機器では、入出力接続用として端子台が取り付けられる。図９（Ａ）に示す従来の端子台１０１は、絶縁材料で形成した基台に側壁２９０が立設され、側壁２９０の間に複数個の端子部分３１０が並べられた構造を有している。更に、図９（Ｂ）に示すように、手指や導電部品が誤って端子部分３１０やネジ１００に触れることを防ぐべく、端子の上部を板状の端子カバー３００で覆う構造となっている（例えば特許文献１参照）。
【０００３】
他の端子台として、負荷線（配線）を異なる方向から選択的に取り付けることができる構造も提案されている（特許文献２参照）。具体的に、図９（Ｃ）で示す端子台１０２では、第一の方向となるＺ軸方向に延在する負荷線２６０を、端子部分３１０に対してネジ１００で締結することが可能であり、また、第二の方向となるＹ軸方向に延在する負荷線２７０を、端子部分３１０に対してネジ１００で締結することが可能である。このように、多方向から負荷線を取り付けることができる構造を持つ端子台においても、手指が誤って端子部分３１０やネジ１００に触れることを防ぐことが必要である。例えば、特許文献３では、それぞれの端子部分の雌ネジ穴を利用して、負荷線を接続しない端子部分に直接的にカバーを取り付ける技術が提案されている。
【先行技術文献】
【特許文献】
【０００４】
【特許文献１】特開２０００−１１３９１８号公報
【特許文献２】特開２００２−５０４１９号公報
【特許文献３】実開昭６０−１６８２７１号公報
【発明の概要】
【発明が解決しようとする課題】
【０００５】
しかし、図９（Ｃ）のように、負荷線を多方向から取り付けることができる端子台では、負荷線が取り付けられていない端子部分に手指や導電部品などが誤って触れる可能性がある。この端子部分に対して、図９（Ｂ）で示したような板状の端子カバーを用いた場合、負荷線が端子台カバーに接触し、端子台カバーが損傷したり外れたりする可能性がある。また、端子台カバーに負荷線等が接触して、負荷線の被覆等が傷つく恐れもある。
【０００６】
また、上記特許文献３に示されている技術を用いた場合、端子台カバーに設けられた差込ピンの先端が矢尻状になっているため、一旦、端子台の端子部分の雌ねじ孔に挿入されると、矢尻の返し部分によって、取り外すことが困難である。
【０００７】
本発明は、上記課題を鑑みてなされたものであり、多方向から負荷線を取り付けることが可能な端子台であって、手指が端子部分に触れにくく負荷線も傷つけにくい端子カバーを備える端子台を提供することを目的とする。
【課題を解決するための手段】
【０００８】
（１）本発明は、第一の方向に延在して少なくとも一つの配線と接続可能な第一方向接続部、及び、前記第一方向接続部と電気的に導通され且つ前記第一の方向と異なる第二の方向に延在して少なくとも一つの配線と接続可能な第二方向接続部を有する導電板と、前記導電板の幅方向の外側に配置される側壁を有する端子台本体部と、前記第一方向接続部及び前記第二方向接続部の一方の表面を覆う端子カバーと、前記端子台本体部に形成され、前記端子カバーが前記第一方向接続部を覆う位置に該端子カバーを保持する第一係合部と、前記端子台本体部に形成され、前記端子カバーが前記第二方向接続部を覆う位置に該端子カバーを保持する第二係合部と、を有することを特徴とする端子台を提供する。
【０００９】
上記（１）に記載する発明によれば、第一の方向と第二の方向という複数の方向から負荷線を取り付けることが可能な端子台であって、手指が端子部分に触れにくいように、いずれの方向の接続部にも端子カバーが取り付けられる安全な端子台を提供できるという優れた効果を奏する。
【００１０】
（２）本発明は、前記端子カバーが、前記第一方向接続部又は前記第二方向接続部の表面に接近又は接触する近接面と、前記近接面から連続して設けられ、且つ、前記第一方向接続部又は前記第二方向接続部から離反する離反面と、を有することを特徴とする、上記（１）に記載の端子台を提供する。
【００１１】
上記（２）に記載する発明によれば、接続部中に、接続部から垂直方向に立設する立設部分が存在する場合にも、該立設部分を離反面で避けることにより、全体として一体であって接続部を覆うことが可能な端子台カバーを備えた端子台提供することができるという優れた効果を奏する。
【００１２】
（３）本発明は、複数の前記導電板が前記幅方向に並設されると共に、複数の前記導電板の間に前記側壁が介在することで該側壁がセパレータとなり、前記端子カバーは、一対の前記離反面によって凹部が形成され、該凹部が前記セパレータの一部を回避するように形成されることを特徴とする、上記（２）に記載の端子台を提供する。
【００１３】
上記（３）に記載する発明によれば、接続部がセパレータにより複数の区画に分割される場合に、該セパレータを避けた形状の端子カバーを実現でき、複数区画に分割された接続部を一体的に覆うことが可能な端子台カバーを備えた端子台を提供することができるという優れた効果を奏する。
【００１４】
（４）本発明は、複数の前記導電板が前記幅方向に並設されると共に、複数の前記導電板の間に前記側壁が介在することで該側壁がセパレータとなり、前記端子カバーは、前記セパレータを回避するように湾曲する湾曲部を有することを特徴とする、上記（１）乃至（３）のいずれかに記載の端子台を提供する。
【００１５】
上記（４）に記載する発明によれば、端子台カバーが湾曲部を有するので、接続部がセパレータにより複数の区画に分割される場合に、該セパレータを避けた形状の端子カバーを実現でき、複数区画に分割された接続部を一体的に覆うことが可能な端子台カバーを備えた端子台を提供することができるという優れた効果を奏する。
【００１６】
（５）本発明は、前記湾曲部が、指と係合させることが可能な突起部を有することを特徴とする、上記（４）に記載の端子台を提供する。
【００１７】
上記（５）に記載する発明によれば、端子カバーに設けられた湾曲部が指と係合させる指掛かり突起部を有するので、利用者は、指を突起部に係合させて端子カバーを保持することができる。結果、端子カバーを取り付けたり取り外したりする際に、指が端子部分に誤って触れる可能性が低い態様で、端子カバーの保持が可能となる。
【００１８】
（６）本発明は、前記湾曲部が、弾性変形可能な撓み部を有することを特徴とする、上記（４）または（５）に記載の端子台を提供する。
【００１９】
上記（６）に記載する発明によれば、端子カバーの湾曲部が指で摘まむことによって弾性変形可能な撓み部を有するので、端子カバーの湾曲部を指で摘まんで変形させることが可能になり、端子カバーを、端子カバーと端子台の係合部から容易に取り外したり、逆に取り付けたりすることが可能になるという優れた効果を奏する。
【００２０】
（７）本発明は、前記湾曲部と前記セパレータとの間に隙間が形成され、前記隙間は、前記第一方向接続部又は前記第二方向接続部に向かうに従って大きくなることを特徴とする、上記（４）乃至（６）のいずれかに記載の端子台を提供する。
【００２１】
上記（７）に記載する発明によれば、セパレータと端子カバーの間に形成される隙間が、接続部に向かって大きくなるので、端子カバーに設けられた湾曲部が接続部に近接した場所ほど大きく動くようになり、端子台カバーと端子台を係合する係合部において、端子台カバーを取り外したり、逆に取り付けたりすることが容易になるという優れた効果を奏する。
【００２２】
（８）本発明は、前記端子カバーが、前記第一方向接続部及び前記第二方向接続部のうち配線が接続される一方の接続部を覆う接続側端子カバーと、前記第一方向接続部及び前記第二方向接続部のうち配線が接続されない他方の接続部を覆う非接続側端子カバーと、を有し、前記接続側端子カバーと前記一方の接続部の距離が、前記非接続側端子カバーと前記他方の接続部との距離より大きいことを特徴とする、上記（１）乃至（７）のうちのいずれかに記載の端子台を提供する。
【００２３】
上記（８）に記載する発明によれば、負荷線を接続しない側の接続部と、負荷線を接続しない側の接続部を覆う非接続部側端子カバーの間の距離を狭くしているので、接続側端子カバーと非接続側端子カバーの間から手指が誤って非接続部側の接続部に触れる可能性を低くすることが可能になり、安全性が著しく高まるという優れた効果を奏する。
【００２４】
（９）本発明は、前記端子カバーが、前記第一方向接続部及び前記第二方向接続部のうち配線が接続される一方の接続部を覆う接続側端子カバーと、前記第一方向接続部及び前記第二方向接続部のうち配線が接続されない他方の接続部を覆う非接続側端子カバーと、を有し、前記非接続側端子カバーは、前記一方の接続部の配線載置面を仮想的に延長した面と干渉しない寸法に設定されることを特徴とする、上記（１）乃至（７）のうちのいずれかに記載の端子台を提供する。
【００２５】
上記（９）に記載する発明によれば、負荷線を接続しない側の接続部を覆う非接続側端子カバーが、接続部の配線載置面を仮想的に延長した面と干渉しないので、非接続側端子カバーが負荷線の被覆を傷つける可能性を低下させるという効果を奏する。
【００２６】
（１０）本発明は、前記接続側端子カバーが、前記他方の接続部の配線載置面を仮想的に延長した面と干渉する寸法に設定されることを特徴とする上記（９）に記載の端子台を提供する。
【００２７】
上記（１０）に記載する発明によれば、接続側端子カバーが、他方の接続部の配線載置面を仮想的に延長した面と干渉する寸法に設定されるので、接続側端子カバーが、非接続部端子カバーと接続部の隙間を覆う構造を実現し、手指が誤って非接続側接続部に触れる可能性を低減するという優れた効果を奏する。
【００２８】
（１１）本発明は、前記第一係合部が、前記非接続側端子カバーを係合する第一側非接続用係合部と、前記接続側端子カバーを係合する第一側接続用係合部を備え、前記第二係合部が、前記非接続側端子カバーを係合する第二側非接続用係合部と、前記接続側端子カバーを係合する第二側接続用係合部を備え、前記第一側非接続用係合部と前記第二側非接続用係合部の形状が略同一であり、且つ、前記第一側接続用係合部と前記第二側接続用係合部の形状が略同一であることを特徴とする上記（１）乃至（１０）のうちのいずれかに記載の端子台を提供する。
【００２９】
上記（１１）に記載する発明によれば、端子台が備える複数の接続部について、非接続側端子カバー、及び、接続側端子カバーを各接続部に共通して使用することが可能になるので、あらかじめ用意すべき端子カバーの数を少なくすることが可能になり、原価の低減に資するという効果を奏する。
【００３０】
（１２）本発明は、前記第一側非接続用係合部及び前記第二側非接続用係合部に共通する形状と、前記第一側接続用係合部及び前記第二側接続用係合部に共通する形状が、互いに異なることを特徴とする上記（１１）に記載の端子台を提供する。
【００３１】
上記（１２）に記載する発明によれば、非接続側端子カバーを係合する係合部と、接続側端子カバーを係合する係合部の形状が異なるので、非接続側端子カバーを接続側端子カバー係合部に誤って係合させる可能性を排除することでき、手指が入り込む隙間が生じにくくなり、安全性を高める効果を奏する。
【００３２】
（１３）本発明は、前記第一の方向と前記第二の方向は略垂直であることを特徴とする上記（１）乃至（１２）のうちのいずれかに記載の端子台を提供する。
【００３３】
上記（１３）に記載する発明によれば、第一の方向と第二の方向は略垂直であるので、互いに垂直な二方向から負荷線を接続しうる端子台を実現するという効果を奏する。
【発明の効果】
【００３４】
本発明によれば、第一の方向と第二の方向という複数の方向から負荷線を取り付けることが可能な端子台であって、手指が端子部分に触れにくいように、いずれの方向の接続部にも端子カバーが取り付けられる安全な端子台を提供できるという優れた効果を奏する。
【図面の簡単な説明】
【００３５】
【図１】本発明の実施形態に係る端子台の斜視図である。
【図２】端子台の（Ａ）上面図、（Ｂ）正面図、（Ｃ）側壁のみを第一導電板側から見た側面図である。
【図３】（Ａ）及び（Ｂ）は、端子台に非接続側端子カバー及び接続側端子カバーを設置した状態を示す側面断面図である。
【図４】非接続側端子カバーの（Ａ）斜視図であり、（Ｂ）正面図であり、（Ｃ）上面図である。
【図５】接続側端子カバーの（Ａ）正面図であり、（Ｂ）上面図である。
【図６】（Ａ）は第一方向接続部に非接続側端子カバーを取り付けた端子台の上面図であり、（Ｂ）は、第一方向接続部に非接続側端子カバーを取り付けて第二方向接続部に接続部側端子カバーを取り付けた端子台の正面図であり、（Ｃ）は、第一方向接続部に非接続側端子カバーを取り付けた端子台の下面図である。
【図７】本実施形態の端子台の他の構成例を示す上面図である。
【図８】本実施形態の端子台の他の構成例を示す（Ａ）上面図、（Ｂ）正面図である。
【図９】（Ａ）は、従来の端子台を説明する説明図であり、（Ｂ）は従来の端子台の正面図であり、（Ｃ）は、複数方向から負荷線を配線可能な従来の端子台の側面断面図である。
【発明を実施するための形態】
【００３６】
以下、本発明の実施の形態を添付図面を参照して説明する。図１〜図８は発明を実施する形態の一例であって、図中、同一の符号を付した部分は同一物を表わす。なお、各図において一部の構成を適宜省略して、図面を簡略化する。そして、部材の大きさ、形状、厚みなどを適宜誇張して表現する。
【００３７】
図１に、本発明の実施形態に係る端子台１を示す。端子台１は、絶縁材料で形成された端子台本体部７０と、端子台本体部７０の一部を形成する一対の側壁３０と、一対の側壁３０の間に、端子台本体部７０から連続して立設されたセパレータ６０と、一方の側壁３０とセパレータ６０の間に配置される第一導電板１１０と、他方の側壁３０とセパレータ６０の間に配置される第二導電板１２０と、第一及び第二導電板１１０，１２０における配線が接続される部分を覆う接続側端子カバー２０と、第一及び第二導電板１１０，１２０における配線が接続されない部分を覆う非接続側端子カバー１０と、を備える。従って、セパレータ６０は、第一導電板１１０と第二導電板１２０の間に、側壁３０と同様な絶縁材料が介在することで、セパレータ６０となっている。端子台本体部７０において、側壁３０は後述する導電板の幅方向の外側に配置される。なお、このセパレータ６０も、側壁の一種と捉えることも可能である。
【００３８】
図２（Ａ）と図２（Ｂ）を用いて、端子台１における導電板の形状を詳述する。なお、図２では、合計八か所となる結線部分の全てに、圧着端子固定用のネジが締結されている状態となっているが、実際には、圧着端子が結線される場所に限ってネジが締結される。
【００３９】
図２（Ａ）に端子台１の上面図を示し、図２（Ｂ）に端子台１の正面図を示す。端子台１は、第一導電板１１０と第二導電板１２０を有する。第一導電板１１０は、二つの配線と接続可能で第一の方向（ここではＺ軸方向）に延在する第一方向第一接続部９０（図２（Ｂ）参照）と、第一方向第一接続部９０と電気的に導通され且つ第一の方向と異なる第二の方向（ここではＹ軸方向）に延在して二つの配線と接続可能な第二方向第一接続部８０（図２（Ａ）参照）を有する。第二方向第一接続部８０と第一方向第一接続部９０は、側面視において、Ｌ字形状となるように互いに垂直に連続して設けられる。
【００４０】
第二導電板１２０は、二つの配線と接続可能で第一の方向（ここではＺ軸方向）に延在する第一方向第二接続部９５（図２（Ｂ）参照）と、第一方向第二接続部９５と電気的に導通され且つ第一の方向と異なる第二の方向（ここではＹ軸方向）に延在して二つの配線と接続可能な第二方向第二接続部８５（図２（Ａ）参照）を有する。第二方向第二接続部８５と第一方向第二接続部９５は、略垂直に連続して設けられる。側面視においてＬ字形状となるように互いに垂直に連続して設けられる。
【００４１】
第一及び第二導電板１１０，１２０のそれぞれは、側壁３０と、それに平行に設けられたセパレータ６０の間に配設される。結果、第一及び第二導電板１１０，１２０は、セパレータ６０で隔てられる態様で幅方向（ここではＸ軸方向）に並設されている。
【００４２】
なお、第一の方向と第二の方向の角度関係は様々に設定できるが、本実施形態のように、第一の方向をＺ軸方向とし、第二方向をＹ軸方向とすることで、互いに略直交させることが望ましい。
【００４３】
第一導電板１１０と第二導電板１２０に接続される配線は、各々に設けられたネジ穴（図示省略）に締結されるネジ１００を利用して、固定される。具体的に、第一導電板１１０の第一方向第一接続部９０には、幅方向（Ｘ軸方向）に並ぶ２つの雌ネジ穴（図示省略）が形成され、各雌ネジ穴に対して、ネジ１００が第二方向（Ｙ軸方向）に螺合する。第一導電板１１０の第二方向第一接続部８０には、幅方向（Ｘ軸方向）に並ぶ２つの雌ネジ穴（図示省略）が形成され、各雌ネジ穴に対して、ネジ１００が第一方向（Ｚ軸方向）螺合する。結果、第一導電板１１０には、合計四か所の端子締結部が設けられる。
【００４４】
同様に、第二導電板１２０の第一方向第二接続部９５には、幅方向（Ｘ軸方向）に並ぶ２つの雌ネジ穴（図示省略）が形成され、各雌ネジ穴に対して、ネジ１００が第二方向（Ｙ軸方向）に螺合する。第二導電板１２０の第二方向第二接続部８５には、幅方向（Ｘ軸方向）に並ぶ２つの雌ネジ穴（図示省略）が形成され、各雌ネジ穴に対して、ネジ１００が第一方向（Ｚ軸方向）螺合する。結果、第二導電板１２０には、合計四か所の端子締結部が設けられる。
【００４５】
なお、本実施形態では、各接続部８０，８５，９０，９５のそれぞれに複数（本実施形態では二つ）の配線締結部を設ける場合を例示したが、本発明はこれに限定されず、単一の配線締結部を設けるようにしても良い。
【００４６】
図１に戻って、端子台１は、非接続側端子カバー１０と、接続側端子カバー２０を有する。非接続側端子カバー１０は、第一方向第一接続部９０（図２参照）の表面と、第一方向第二接続部９５（図２参照）の表面を覆う。接続側端子カバー２０は、第二方向第一接続部８０と、第二方向第二接続部８５を覆う。これらの非接続側端子カバー１０及び接続側端子カバー２０は、手指が誤って配線の圧着端子部分や第一導電板１１０、第二導電板１２０に触れる可能性を低減する。非接続側端子カバー１０と、接続側端子カバー２０は絶縁材料で形成されることが望ましい。
【００４７】
次に、非接続側端子カバー１０と接続側端子カバー２０の詳細形状や固定態様について詳述する。なお、説明の便宜上、第一方向第一接続部９０と第一方向第二接続部９５のそれぞれ又は双方を合わせて、第一方向接続部９２と称し、第二方向第一接続部８０と第二方向第二接続部８５のそれぞれ又は双方を合わせて、第二方向接続部８２と称する。
【００４８】
図１に示すように、側壁３０には、第一方向第一接続部９２（図２）を覆う位置に非接続側端子カバー１０を保持する第一係合部４０と、第二方向接続部８２（図２参照）を覆う位置に接続側端子カバー２０を保持する第二係合部５０が備えられる。
【００４９】
図２（Ｃ）に、図２（Ａ）（Ｂ）の右側に位置する側壁３０のみを、幅方向内側となる左側面から（第一導電板１１０側から）見た状態を示す。なお、左側に位置する側壁３０も対称構造となるので、ここでの説明を省略する。
【００５０】
側壁３０には、第一係合部４０と第二係合部５０が設けられる。第一係合部４０は、第一側非接続用係合部１３０と第一側接続用係合部１４０を有し、第二係合部５０は第二側非接続用係合部１５０と第二側接続用係合部１６０を有する。これらの係合部１３０，１４０，１５０，１６０は、凹状の嵌合穴となっている。
【００５１】
第一側非接続用係合部１３０は、第一方向接続部９２を非接続側端子カバー１０で覆う際に、非接続側端子カバー１０と係合する。第一側接続用係合部１４０は、第一方向接続部９２を接続側端子カバー２０で覆う際に、接続側端子カバー２０と係合する。同様に第二側非接続用係合部１５０は、第二方向接続部８２を非接続側端子カバー１０で覆う際に、非接続側端子カバー１０と係合する。第二側接続用係合部１６０は、第二方向接続部８２を接続側端子カバー２０で覆う際に、接続側端子カバー２０と係合する。
【００５２】
ここで、第一方向接続部９２における配線が載置される面を第一配線載置面１７２と定義し、第二方向接続部８２における端子が載置される面を第二配線載置面１７４と定義する。第一配線載置面１７２と第一側非接続用係合部１３０の間の距離と、第二配線載置面１７４と第二側非接続用係合部１５０の間の距離は、互いに略等しくＤ１となる。また、第一配線載置面１７２と第一側接続用係合部１４０の間の距離と、第二配線載置面１７４と第二側接続用係合部１６０の間の距離は、互いに略等しくＤ２である。そしてＤ２はＤ１より大きい。すなわち、第一配線載置面１７２と第一側接続用係合部１４０の間の距離Ｄ２は、第一配置載置面１７２と第一側非接続用係合部１３０の間の距離Ｄ１よりも大きい。同様に、第二配線載置面１７４と第二側接続用係合部１６０の間の距離Ｄ２は、第二配線載置面１７４と第二側非接続用係合部１５０の間の距離Ｄ１よりも大きい。
【００５３】
結果、図１からも分かるように、接続側端子カバー２０と、接続側の第一配線載置面１７２，第二配線載置面１７４の距離Ｄ２は、非接続側端子カバー１０と非接続側の第一配線載置面１７２，第二配線載置面１７４との距離Ｄ１より大きい。距離Ｄ２は、負荷線の先端に形成される圧着端子を、ネジ１００で、第一及び第二導電板１１０，１２０に結線する際に、ネジ１００の頭部と接続側端子カバー２０が干渉しない距離となる。一方で、距離Ｄ１は、非接続側端子カバー１０を第一側非接続用係合部１３０又は第二側非接続用係合部１５０に係合させることにより、非接続側端子カバー１０で非接続側の第一配線載置面１７２，第二配線載置面１７４を覆う際に、第一配線載置面１７２，第二配線載置面１７４と非接続側端子カバー１０の間の隙間に、手指や導電部品の入らない程度に狭い。
【００５４】
第一側非接続用係合部１３０と第二側非接続用係合部１５０の形状は略同一である。つまり、本実施形態では、第一側非接続用係合部１３０と第二側非接続用係合部１５０の嵌合穴の外形及び寸法が略同一となる。こうすることで、共通の形状の非接続側端子カバー１０を、第一方向接続部９２と第二方向接続部８２で使用することができる。また第一側接続用係合部１４０と第二側接続用係合部１６０の形状は略同一である。つまり、本実施形態では、第一側接続用係合部１４０と第二側接続用係合部１６０の嵌合穴の外形及び寸法が略同一となる。こうすることで、共通の形状の接続側端子カバー２０を、第一方向接続部９２と第二方向接続部８２で使用することができる。
【００５５】
一方、第一側非接続用係合部１３０及び第二側非接続用係合部１５０に共通する形状と、第一側接続用係合部１４０及び第二側接続用係合部１６０に共通する形状は、互いに異なる。このようにすると、非接続側端子カバー１０と係合する係合部と、接続側端子カバー２０を係合する係合部の形状が異なるので、非接続側端子カバー１０を、第一側接続用係合部１４０又は第二側接続用係合部１６０に誤って係合させる可能性を排除することでき、手指が入り込む隙間が生じにくくなり、安全性を高める効果を奏する。
【００５６】
図３に示すように、非接続側端子カバー１０の寸法Ｌ１は、配線が接続される側の配線載置面１７２，１７４（即ち、非接続側端子カバー１０が覆わない方の配線載置面１７２，１７４）を仮想的に延長した面Ｓ１，Ｓ２と干渉しない寸法に設定される。また同時に、接続側端子カバー２０の寸法Ｌ２は、端子が接続されない側の配線載置面１７２，１７４（即ち、接続側端子カバー２０が覆わない方の配線載置面１７２，１７４）を仮想的に延長した面Ｓ１，Ｓ２と干渉する寸法に設定される。
【００５７】
具体的に、例えば図３（Ａ）に示すように、第二側非接続用係合部１５０に対して非接続側端子カバー１０を係合させた場合、非接続側端子カバー１０のＹ軸方向の寸法Ｌ１は、負荷線Ｆが接続される第一配線載置面１７２の仮想面Ｓ１と干渉しない寸法にする。このようにすることで非接続側端子カバー１０が、負荷線Ｆの被覆を傷つける可能性を低下させることができる。
【００５８】
また、第一側接続用係合部１４０に接続側端子カバー２０を係合させる場合には、接続側端子カバー２０のＺ軸方向の寸法Ｌ２は、負荷線Ｆが接続されない第二配線載置面１７４の仮想面Ｓ２と干渉する寸法にする。接続側端子カバー２０が、非接続部端子カバー１０と非接続側の第二配線載置面１７４の微細な隙間までも覆う構造を実現し、手指や導電部品が誤って非接続側接続部に触れる可能性を低減する。なお、圧着端子を付けた負荷線Ｆを接続するだけでなく、接続用の孔を有する導体棒（バスバー）で複数の端子台１を接続しても良い。この場合、バスバーの電気接続する部分以外は、絶縁体で覆うことで手指等が触れても感電をしないように処置することが望ましい。
【００５９】
例えば図３（Ｂ）に示すように、第一側非接続用係合部１３０に対して非接続側端子カバー１０を係合させた場合、非接続側端子カバー１０のＺ軸方向の寸法Ｌ１は、負荷線Ｆが接続される第二配線載置面１７４の仮想面Ｓ２と干渉しない寸法にする。このようにすることで非接続側端子カバー１０が、負荷線Ｆの被覆を傷つける可能性を低下させることができる。
【００６０】
また、第二側接続用係合部１６０に対して接続側端子カバー２０を係合させる場合には、接続側端子カバー２０のＹ軸方向の寸法Ｌ２は、負荷線Ｆが接続されない第一配線載置面１７２の仮想面Ｓ１と干渉する寸法にする。接続側端子カバー２０が、非接続部端子カバー１０と非接続側の第一配線載置面１７２の微細な隙間までも覆う構造を実現し、手指や導電部品が誤って非接続側接続部に触れる可能性を低減する。
【００６１】
なお、これらの構造を別の観点から説明すると、非接続側端子カバー１０の平面方向であって設置状態におけるＹ軸方向又はＺ軸方向の寸法Ｌ１は、接続側端子カバー２０の平面方向であって設置状態におけるＹ軸方向又はＺ軸方向の寸法Ｌ２よりも小さい。
【００６２】
次に図４を参照して、非接続側端子カバー１０の構造を詳述する。非接続側端子カバー１０は、第一及び第二導電板１１０，１２０の幅方向（図１におけるＸ軸方向）が長手方向となるような帯状プレートとなる。また、この帯状プレートの長手方向の途中（ここでは中央）には、第一及び第二導電板１１０，１２０から離れる方向に局所的に湾曲した湾曲部１９０が形成される。
【００６３】
更に非接続側端子カバー１０は、接続部（配線載置面）と対向する側の面において、近接面２２０と離反面２３０を有する。近接面２２０は、第一方向接続部９２又は第二方向接続部８２の表面に接近又は接触するように配設される、一方、離反面２３０は、近接面２２０から導電板の幅方向（図１におけるＸ軸方向）に連続し、且つ、側壁３０又はセパレータ６０に沿って、第一方向接続部９２又は第二方向接続部８２から離反する面となる。なお、本実施形態では、非接続側端子カバー１０の長手方向の途中に一対の離反面２３０が対向状態で形成されており、この一対の離反面２３０，２３０によって凹部２００が形成される。この凹部２００は、湾曲部１９０の内側面となっており、セパレータ６０の一部を回避するように形成され、非接続側端子カバー１０とセパレータ６０との干渉が回避される。
【００６４】
また、非接続側端子カバー１０の湾曲部１９０の外側面には、指と係合させる指掛かり突起部２１０が形成される。利用者は、指を突起部２１０に係合させて非接続側端子カバー１０を保持することができるので、非接続側端子カバー１０を取り付けたり取り外したりする際に、端子に誤って触れる可能性が低い。
【００６５】
また湾曲部１９０は、湾曲している曲率が小さい領域、すなわち、湾曲部１９０の凸端近傍又は凹部２００の底面近傍に、弾性変形可能な撓み部１８０を備える。この撓み部１８０は、湾曲部１９０を指で摘まむことで、弾性変形可能となっており、一対の離反面２３０の距離を近づけることができる。
【００６６】
図４（Ｃ）に示すように、突起部２１０を指で摘まんで、矢印Ｐの方向に向かって、非接続側端子カバー１０の湾曲部１９０を押すことにより、撓み部１８０が弾性変形し、非接続側端子カバー１０における、帯長手方向（第一導電板１１０、第二導電板１２０の幅方向の長さＬ３が短くなる。
【００６７】
非接続側端子カバー１０の長手方向両端には、端子台１の第一側非接続用係合部１３０及び第二側非接続用係合部１５０と係合可能な固定部２４０を有する。固定部２４０は、近接面２２０から、帯長手方向（導電板１１０，１２０の幅方向）に部分的に延設された突起となる。第一側非接続用係合部１３０及び第二側非接続用係合部１５０は、固定部２４０と係合する嵌合穴となる。
【００６８】
このような構造にすることで、非接続側端子カバー１０の湾曲部１９０を指で摘まんで変形させて、非接続側端子カバー１０の長手方向の長さＬ３を伸縮させることで、固定部２４０の突起を、第一側非接続用係合部１３０及び第二側非接続用係合部１５０の嵌合穴に対して抜き差しできる。結果、非接続側端子カバー１０を、第一側非接続用係合部１３０や第二側非接続用係合部１５０から容易に取り外したり、取り付けたりすることが可能になる。
【００６９】
次に図５を参照して、接続側端子カバー２０の構造を詳述する。接続側端子カバー２０は、第一及び第二導電板１１０，１２０の幅方向（図１におけるＸ軸方向）が長手方向となるような帯状プレートとなる。非接続側端子カバー１０と異なり、接続側端子カバー２０は、途中（ここでは中央）に湾曲部が形成されていないが、勿論、摘まみ用の湾曲部が形成されていても良い。
【００７０】
接続側端子カバー２０の長手方向両端には、端子台１の第一側接続用係合部１４０及び第二側接続用係合部１６０と係合可能な固定部３４０を有する。固定部３４０は、帯状プレートの長手方向の端縁から、帯長手方向（導電板１１０，１２０の幅方向）に部分的に延設された突起となる。第一側接続用係合部１４０及び第二側接続用係合部１６０は、固定部３４０を係合する嵌合穴となる。
【００７１】
このような構造にすることで、接続側端子カバー２０の全体を撓ませて、長手方向の長さＬ４を伸縮させることで、固定部３４０の突起を、第一側接続用係合部１４０及び第二側接続用係合部１６０の嵌合穴に対して抜き差しする。なお、接続側端子カバー２０に湾曲部が無くても、接続側端子カバー２０の長辺を摘まんで接続側端子カバー２０の全体を撓ませることで、長手方向の長さＬ４を伸縮させることができる。結果、接続側端子カバー２０を、第一側接続用係合部１４０や第二側接続用係合部１６０から容易に取り外したり、取り付けたりすることが可能になる。
【００７２】
なお、固定部３４０の形状は、非接続側端子カバー１０の突起部２４０の形状と異なっており、非接続側端子カバー１０の突起部２４０が、第一側接続用係合部１４０及び第二側接続用係合部１６０に嵌ることが出来ない。
【００７３】
図６に、第一方向接続部９２に非接続側端子カバー１０を取り付け、第二方向接続部８２に接続部側端子カバー２０を取り付けた端子台１を示す。なお、図６（Ａ）では、第二方向接続部８２を覆う為の接続側端子カバー２０の図示を省略している。
【００７４】
図６（Ａ）に示すように、非接続側端子カバー１０は、第一方向接続部９２に近接する状態で、第一方向接続部９２を覆う。こうすることで手指が誤って第一方向接続部９２に触れる可能性を低減することができる。
【００７５】
図６（Ｂ）に示すように、接続側端子カバー２０は、第二方向接続部８２のネジ１００に対して間隔をあけた状態で、第二方向接続部８２を覆う。また、非接続側端子カバー１０は、第二方向接続部８２の第二配線載置面１７４を覆わない寸法に設定されている。
【００７６】
図６（Ｃ）に示すように、接続側端子カバー２０は、第一方向接続部９２の第一配線載置面１７２を覆う寸法に設定されている。結果、第二方向接続部８２に結線される負荷線の先端の圧着端子を覆うことができるので、安全性が高められる。
【００７７】
以上、本実施形態の端子台１では、非接続側端子カバー１０の長手方向中央に湾曲部１９０が形成され、この湾曲部１９０によって、側壁の一部となるセパレータ６０を迂回する構造を例示したが、本発明はこれに限定されず、セパレータ６０と湾曲部１９０を係合させても良い。
【００７８】
また例えば、図７（Ａ）に示すような、単一の導電板１１２のみを有する端子台１の場合、非接続側端子カバー１０の長手方向の両端又は一端に屈曲部１９２を形成し、この屈曲部１９２の内側面によって離反面２３０を構成する。離反面２３０と側壁３０の間に隙間を形成することが好ましい。作業者は、この屈曲部１９２を指先で摘まみながら、指先の押圧によって非接続側端子カバー１０を変形させることで、側壁３０に対して非接続側端子カバー１０を容易に着脱できる。
【００７９】
また、図７（Ｂ）に示すような、複数の導電板１１０、１２０を有する端子台１の場合において、導電板１１０、１２０毎に独立した非接続側端子カバー１０，１０を設置しても良い。この場合、各非接続側端子カバー１０，１０は、側壁３０とセパレータ６０によって保持される。各非接続側端子カバー１０，１０の長手方向の両端又は一端に屈曲部１９２を形成し、この屈曲部１９２によって離反面２３０を構成する。離反面２３０と側壁３０の間に隙間を形成しておけば、作業者は、この屈曲部１９２を指先で摘まみながら、指先の押圧によって非接続側端子カバー１０を撓ませることで、側壁３０とセパレータ６０に対して非接続側端子カバー１０を容易に着脱できる。
【００８０】
更に上記実施形態では、側壁３０の内側面に、非接続側端子カバー１０や接続側端子カバー２０を保持する係合部を設ける場合を例示したが、本発明はこれに限定されない。例えば図８（Ａ）や図８（Ｂ）に示すように、側壁３０の端面に係合部４００を設けるようにし、非接続側端子カバー１０や接続側端子カバー２０と係合させても良い。この場合は、側壁３０の端面に、係合用の凹部や突起を形成し、非接続側端子カバー１０や接続側端子カバー２０の長手方向端部と、係合用の凹部や突起部と係合させることが好ましい。
【００８１】
また、上記実施形態では、各導電板が、互いに向き（角度）が異なる二つの接続部を有する場合を例示したが、本発明はこれに限定されず、例えば、断面コ字状となるように設けられる三つの接続部を有するようにしても良い。この場合は、一つの接続側端子カバーと、二つの非接続側端子カバーによって、三つの接続部を覆うことができる。
【００８２】
尚、本発明の端子台は、上記した実施の形態に限定されるものではなく、本発明の要旨を逸脱しない範囲内において種々変更を加え得ることは勿論である。
【符号の説明】
【００８３】
１    端子台
１０    非接続側端子カバー
２０    接続側端子カバー
３０    側壁
４０    第一係合部
５０    第二係合部
６０    セパレータ
７０    端子台本体部
８０    第二方向第一接続部
８５    第二方向第二接続部
９０    第一方向第一接続部
９５    第一方向第二接続部
１００    ネジ
１１０    第一導電板
１２０    第二導電板
１３０    第一側非接続用係合部
１４０    第一側接続用係合部
１５０    第二側非接続用係合部
１６０    第二側接続用係合部
１７２    第一配線載置面
１７４    第二配線載置面
１８０    撓み部
１９０    湾曲部
２００    凹部
２１０    突起部
２２０    近接面
２３０    離反面
２４０    固定部
２５０    導電板
２６０    第一の方向からの負荷線
２７０    第二の方向からの負荷線
２９０    側壁
３００    従来の端子カバー
３１０    端子部分
【図１】
2018037269.tif 000003
【図２】
2018037269.tif 000004
【図３】
2018037269.tif 000005
【図４】
2018037269.tif 000006
【図５】
2018037269.tif 000007
【図６】
2018037269.tif 000008
【図７】
2018037269.tif 000009
【図８】
2018037269.tif 000010
【図９】
2018037269.tif 000011